(57)【要約】【課題】  従来技術の腰ベルトは、腰に巻いた際、腰椎から仙骨にかけての範囲を覆うもので、しかも１枚のベルトで形成したものであるため、ウエストと骨盤を細くするためには好適なものではない【解決手段】  巻付帯により腰部に巻かれるウエスト部のダイエットベルトで、上部から３つに分割した３枚のベルトを接続し、乳房下部から骨盤部８に至るウエスト部７を覆う腰ベルトであって、少なくとも乳房に当たる部分は締め付け力を弱くするためにベルトの編み方を弱くした第１ベルト１に、続いて骨盤部８を覆う締め付け力を強くした編み方の第２ベルト２を接続し、さらに大転子１０部分を覆う締め付け力を強くした編み方の第３ベルト３を接続し、これら第１〜第３ベルトの両端には雄、雌面ファスナー４、５を設けて固定できるようにし、広範囲を覆うようにしたウエスト部のダイエットベルト。【選択図】図２
2017018446.tif 000002
【特許請求の範囲】
【請求項１】
巻付帯により腰部に巻かれるウエスト部のダイエットベルトで、上部から３つに分割した３枚のベルトを接続し、乳房下部から骨盤部に至るウエスト部を覆う腰ベルトであって、少なくとも乳房に当たる部分は締め付け力を弱くするためにベルトの編み方を弱くした第１ベルトと、この第１ベルトに続いて骨盤部を覆う締め付け力を強くした編み方の第２ベルトを接続し、さらに大転子部分を覆う締め付け力を強くした編み方の第３ベルトを接続し、これら第１〜第３ベルトの両端には雄、雌面ファスナーを設けて固定できるようにし、広範囲を覆うようにしたことを特徴とするウエスト部のダイエットベルト。
【発明の詳細な説明】
【技術分野】
【０００１】
本発明は、お腹からお尻までに相当する大転子、股関節、骨盤、腰部、乳房下部までの広い範囲を覆ってトレーニング効果が奏されるもので、骨盤、腰部を細くする（すなわち、ダイエット）、上から下に３段に分割したベルトを接続して形成した腹部、腰部をサポートするように人が腹部、腰部、股関節（大転子）に巻いて使用する屋内用腰ベルトに関するものである。
【背景技術】
【０００２】
従来、起立筋を十分にホールドすることができ、しかもお腹が苦しくならないように腰に巻くことができる腰ベルトで、巻付帯を用いて腰に巻かれたとき腰椎から仙骨にかけての範囲で背中に押し当てられるプラスチックや木材または金属など、弾性のあるやや硬質の材料で形成する押圧プレートを有し、その押圧プレートが、腰椎および仙椎を圧迫することなく腰部の起立筋の全幅域および仙骨部を圧迫するように形成された腰ベルト（例えば、特許文献１参照）が存在している。
【先行技術文献】
【特許文献】
【０００３】
【特許文献１】特開２００５−１９２６７７号公報（特許請求の範囲の欄、発明の詳細な説明の欄、及び図１〜図６を参照）
【発明の概要】
【発明が解決しようとする課題】
【０００４】
しかしながら、前記従来技術の特許文献１で示した腰ベルトは、腰に巻いた際、腰椎から仙骨にかけての範囲を覆うもので、しかも１枚のベルトで形成したものであるため、お腹からお尻まで、特にウエストと骨盤を細くするためには好適なものではない。
これに対して本発明のウエスト部のダイエットベルトは、上は乳房下部から下は大転子までの広い範囲に、しかもその各部位に適した締め付けが可能なように、ベルトを分割しており、なおかつ軟らかく、他より弱く編んだベルトと、ある程度硬く強く編んだベルトで構成されており、これを順に３枚接続して腰部の広い範囲を覆うベルトであり、ウエストと骨盤を細くすることができる好適なウエスト部のダイエットベルトを提供することを目的としている。
【課題を解決するための手段】
【０００５】
上記の目的を達成することができる本発明の第１発明は、請求項１に記載された通りのウエスト部のダイエットベルトであり、次のようなものである。
巻付帯により腰部に巻かれるウエスト部のダイエットベルトで、上部から３つに分割した３枚のベルトを接続し、乳房下部から骨盤部に至るウエスト部を覆う腰ベルトであって、少なくとも乳房に当たる部分は締め付け力を弱くするためにベルトの編み方を弱くした第１ベルトと、この第１ベルトに続いて骨盤部を覆う締め付け力を強くした編み方の第２ベルトを接続し、さらに大転子部分を覆う締め付け力を強くした編み方の第３ベルトを接続し、これら第１〜第３ベルトの両端には雄、雌面ファスナーを設けて固定できるようにし、広範囲を覆うようにした構成である。
【発明の効果】
【０００６】
本発明に係る屋内用ウエスト部のダイエットベルトは、上記説明のような構成を有するので、以下に記載する効果を奏する。
（１）３段式のベルトを採用することにより、装着者に不快感を与えずにウエストと骨盤を細くすることが可能である。
（２）３枚のベルトを接続して組み合わせることで各部位に合った締め付けができるようにしたものである。
（３）乳房下部に当たる上部のベルトは、ふわっとした軟らかく弱く編んだベルトにしてあるので、身体を前傾した際に擦過傷等の危険性がなく、違和感を与えない。
（４）３枚のベルトそれぞれを、個別に締め付け調整することができる。
（５）ベルトは、伸縮性を有しているので、活動時にベルトとの対抗運動により脂肪分が燃焼され、腹部、尻部が細くなるものである。
（６）大転子部分を覆う締め付け力を強くした編み方に換えて、弱くした編み方の第３ベルトを接続すると、活動の途中で座った際、第３ベルトが太ももに当接するので、擦過傷により傷付けたり、痛かったり、装着者に不快感を与えないようにすることができる。
【発明を実施するための形態】
【０００７】
巻付帯により腰部に巻かれるウエスト部のダイエットベルトで、上部から３つに分割した３枚のベルトを接続し、乳房下部から骨盤部に至るウエスト部を覆う腰ベルトであって、少なくとも乳房に当たる部分は締め付け力を弱くするためにベルトの編み方を弱くした第１ベルトと、この第１ベルトに続いて骨盤部を覆う締め付け力を強くした編み方の第２ベルトを接続し、さらに大転子部分を覆う締め付け力を強くした編み方の第３ベルトを接続し、これら第１〜第３ベルトの両端には雄、雌面ファスナーを設けて固定できるようにし、広範囲を覆うようにした腰ベルトである。
【図面の簡単な説明】
【０００８】
【図１】本発明のウエスト部のダイエットベルトの一実施例を示す腰ベルトを使用する前の状態を示す概略正面図である。
【図２】本発明のウエスト部のダイエットベルトの一実施例を示す腰ベルトを使用する前の状態を示す概略背面図である。
【図３】本発明のウエスト部のダイエットベルトの一実施例を示す腰ベルトを使用した状態を示す概略正面図である。
【実施例１】
【０００９】
以下、本発明の一実施例について図１〜図３に基づいて説明する。
図１は、本発明の屋内用ウエスト部のダイエットベルトの使用前の正面図、図２は同じく使用前の背面図、図３は使用した状態を示す正面図である。
先ず、身体の腰部に巻き付けた際、乳房下部から骨盤に至るウエスト部を覆う第１ベルト１について説明する。この第１ベルト１は、身体を前傾する際、どうしても乳房下部に当たるため、痛かったり、擦れたりして装着者に不快感を与えてしまう。そのため、本発明の腰ベルトでは第２ベルト２、第３ベルト３よりも伸縮性のある弾性糸で軟らかく弱く編んだもので、前記不快感を解決すると共に、乳房を守ることにもなるものである。
なお、この第１ベルト全体を弱く編んでも、乳房に触れる上部だけを弱く編んでもよいことは言うまでもない。
また、この第１ベルト１の両端には締め付け固定用の雄面ファスナー４と雌面ファスナー５が設けられており、装着者の身体に合わせて締め付けを調整できるようになっている。
次に、骨盤部を覆う第２ベルト２、股関節部と大転子部を覆う第３ベルト３について説明する。
この第２ベルト２は、弾性糸で硬く、強く編んだもので、骨盤部をしっかりと押圧することが可能である。第１ベルト１と同様に両端には締め付け固定用の雄面ファスナー４と雌面ファスナー５が設けられている。
また第３ベルト３は、第２ベルト２と同様に硬く、強く編んだもので、両端には締め付け固定用の雄面ファスナー４と雌面ファスナー５が設けられている。また、この第３ベルト３は股関節部、大転子部に巻き付けた際、腰部の動きに違和感を生じさせないように、両端部を斜めにカットすることが腰ベルトとしては有効である。
また、この第３ベルト３は、活動中に座ったりした際、どうしても太ももに当たってしまう。この時、第３ベルト３が当たって痛かったり、擦れたりして装着者に不快感を与えてしまうので、伸縮性のある弾性糸で軟らかく弱く編んだものにすることも有効である。
以上説明した第１ベルト１と第２ベルト２と第３ベルト３を、それぞれお互いの中間部を１／２〜２／３位を縫製するか、接着して接続することで、広幅な腰ベルトを形成するものである。
なお、第１ベルト１と第２ベルト２と第３ベルト３を接続する上で突き合せて縫製したり接着するだけでなく、一部重ね合わせて縫製したり、接着することも可能である。
このため、ウエスト部７、骨盤部８、股関節部９、大転子部１０の範囲を広く、同時に締め付けることができ、身体が安定し、姿勢も良くなり、ウエスト部も細くなるものである。
また、背中に押し当てるための押圧プレート（図示せず）を設けることも考えられる。この押圧プレートは、押し当てられた背中の部分の曲面に沿うように変形することが可能なように、やや柔軟な樹脂板にて形成するものである。
以上のような構成を有するので、ベルトに伸縮性があり、活動時にウエスト部のダイエットベルトとの対抗運動により脂肪分が燃焼され、ウエストが細くなっていくという効果を奏するものである。
なお、他の実施例としては、前記実施例では３枚のベルトの実施例について説明したが、ベルトの数を２枚にすることは勿論、４枚等、複数枚に増やして分割してより身体のラインに合った腰ベルトを提供することも可能である。
【産業上の利用可能性】
【００１０】
ウエストと骨盤を細くするだけでなく、痛めた筋肉、骨、筋等を固定する際にも有効に利用することができる。
【符号の説明】
【００１１】
１・・・・第１ベルト
２・・・・第２ベルト
３・・・・第３ベルト
４・・・・雄面ファスナー
５・・・・雌面ファスナー
６・・・・斜めにカットした部分
７・・・・ウエスト部
８・・・・骨盤部
９・・・・股関節部
１０・・・・大転子
【図１】
2017018446.tif 000003
【図２】
2017018446.tif 000004
【図３】
2017018446.tif 000005